(57)【要約】【課題】一般家庭で使用される電気掃除機に関するもので、特にサイクロン集塵部のメンテナンス性向上に関するもので、使用性の良い掃除機を提供する。【解決手段】吸引風を発する電動送風機２４を内蔵する掃除機本体２３と、前記電動送風機２４に連通し塵埃を吸引する吸込具６９と、前記掃除機本体２３に着脱自在な集塵部５４を備え、前記集塵部５４の外郭に前記電動送風機が発する排気９８を流す構成としたので、集塵部５４に集積した塵埃を捨てた際、集塵部５４外郭に付着した塵埃を容易に取り除くことができ、ごみ捨て後の集塵部５４を清潔に保つことができ、使用性が向上するのである。【選択図】　図１
2004016691.tif 000002
【特許請求の範囲】
【請求項１】
吸引風を発する電動送風機を内蔵する掃除機本体と、前記電動送風機に連通し塵埃を吸引する吸込具と、前記掃除機本体に着脱自在な集塵部を備え、前記集塵部の外郭に前記電動送風機が発する排気を流す電気掃除機。
【請求項２】
掃除機本体と集塵部の間に形成される空間部と、電動送風機が発する排気を排出させる排気吹出口を掃除機本体外郭に設け、前記排気吹出口から排出される排気を前記空間部に通過させる構成とした請求項１記載の電気掃除機。
【請求項３】
掃除機本体と集塵部の間に形成された空間部を流れる排気の流れ方向を、集塵部に対して上方から下方とした請求項１または２記載の電気掃除機。
【請求項４】
掃除機本体に集塵部を収納させる台座部を有し、前記台座部近傍に排気を排出させる排気吹出口を設けた構成とした請求項１〜３のいずれか１項に記載の電気掃除機。
【請求項５】
掃除機本体と集塵部の間に形成された空間部に対向する掃除機本体外郭に、集塵部に対して上方と下方に排気吹出口を設けたことを特徴とする請求項１〜４のいずれか１項に記載の電気掃除機。
【請求項６】
集塵部に対して上方と下方に設けた排気吹出口は、下方側よりも上方側を大きくした請求項１〜５のいずれか１項に記載の電気掃除機。
【請求項７】
集塵部は、遠心集塵により下側に塵埃を捕集させる塵埃器と上側に着脱可能な蓋で形成され、前記蓋と塵埃器の分割部付近に排気吹出口を設けた構成とした請求項１〜６のいずれか１項に記載の電気掃除機。
【請求項８】
吸込具と塵埃器を連通するホースと、塵埃器側面に塵埃取り入れ用の塵埃吸気口と、前記塵埃吸気口と連通したホースを保持させるホース保持体を有し、前記塵埃吸気口と前記ホース保持体の当接部の下方側に、塵埃捕集用の凹部を設けた構成とした請求項７記載の電気掃除機。
【請求項９】
ホースからの塵埃吸引方向に向かうに従い、塵埃捕集用の凹部を上方へ傾斜させた構成とした請求項８記載の電気掃除機。
【請求項１０】
塵埃捕集用の凹部の上方で塵埃吸気口側面に、塵埃吸い込み用の溝を設けた請求項８または９記載の電気掃除機。
【請求項１１】
吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口と、掃除機本体外郭に前記掃除機本体と前記集塵部の間の空間部と連通する連通穴と、一端は前記集塵部に接続され他端は前記吸込具に接続され塵埃を吸引するホースを備え、前記排気吹出口から排出される排気を前記空間部に通過させる構成とするとともに、前記連通穴に前記ホース先端を接続させて、前記空間部を通過した排気を、前記ホースを介して前記集塵部に吸引させる電気掃除機。
【請求項１２】
空間部に付着した塵埃を排気と同時に集塵部に吸引させることを特徴とした請求項１１記載の電気掃除機。
【請求項１３】
排気吹出口は、掃除機本体と集塵部の間の空間部と連通する連通穴の対向方向に設けたことを特徴とする請求項１１または１２記載の電気掃除機。
【請求項１４】
排気吹出口は、集塵部の上方部に臨むように設けたことを特徴とする請求項１１〜１３のいずれか１項に記載の電気掃除機。
【請求項１５】
排気吹出口は、掃除機本体と集塵部の間の空間部と連通する連通穴の対向方向でかつ集塵部の上方部に臨むように設けたことを特徴とする請求項１１〜１４のいずれか１項に記載の電気掃除機。
【請求項１６】
排気吹出口は、掃除機本体と集塵部の間の空間部と連通する連通穴の対向方向の上方と下方に２箇所以上設けたことを特徴とする請求項１１〜１５のいずれか１項に記載の電気掃除機。
【請求項１７】
吸引風を発する電動送風機を内蔵する掃除機本体と、前記電動送風機に連通し塵埃を吸引する吸込具と、前記掃除機本体に着脱自在な集塵部と、一端は前記集塵部に接続され他端は前記吸込具に接続され塵埃を吸引する塵埃吸引用ホースを備え、前記集塵部を掃除機本体から外した状態で、前記集塵部外郭に付着した塵埃を前記塵埃吸引用ホースを介して前記集塵部内に捕集する電気掃除機。
【請求項１８】
電動送風機と集塵部を連通させる吸引通路を伸縮自在な吸気用ホースで形成した請求項１７記載の電気掃除機。
【請求項１９】
吸気用ホースが集塵部に接続したままで、集塵部を掃除機本体から外すことが可能な請求項１７または１８記載の電気掃除機。
【請求項２０】
掃除機本体外郭に電動送風機が発する排気を排出させる排気吹出口を設け、前記排気吹出口に塵埃吸引用ホースを接続させて前記塵埃吸引用ホースから排気を排出させる請求項１７〜１９のいずれか１項に記載の電気掃除機。
【請求項２１】
吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口を備え、前記排気吹出口から排出される排気を前記空間部に通過させる構成とするとともに、前記集塵部を掃除機本体の装着した状態のままで、前記排気を前記集塵部内部に吸引させる電気掃除機。
【請求項２２】
掃除機本体と集塵部の間で形成された空間部に位置する前記集塵部の外郭に、排気とともに塵埃を集塵部内部に吸引させる排気吸入口を設けた請求項２１記載の電気掃除機。
【請求項２３】
集塵部は、下側に上方が開口し遠心集塵で塵埃を捕集させる塵埃器と上側に着脱可能な蓋で形成され、前記塵埃器の開口側と同一方向に排気を集塵部内部に吸引させる排気吸入口を設けた請求項２１または２２に記載の電気掃除機。
【請求項２４】
塵埃器内部の排気吸入口に、塵埃洩れ防止用の逆止弁を設けた構成とした請求項２２または２３記載の電気掃除機。
【請求項２５】
吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口を備え、前記排気吹出口から排出される排気を前記空間部に通過させる構成とするとともに、前記吸込具の塵埃を吸い込む吸込室と空間部を、可撓性ホースで連通させた電気掃除機。
【発明の詳細な説明】
【０００１】
【発明の属する技術分野】
本発明は、一般家庭で使用される電気掃除機で、特にサイクロン集塵部のメンテナンス性向上に関するものである。
【０００２】
【従来の技術】
従来の電気掃除機は特公昭６２−５０１４０に示されたものが一般的であった。以下図１７、図１８を用いて説明する。
【０００３】
図１７、図１８において、主ケース１を備え掃除機本体２２の下端部に吸込具２が備えられており、吸込具２は電動送風機３と電動送風機３の軸にベルト５で結合されるブラシ部材４が備えられている。掃除機本体の背後に沿ってパイプ６が設けられ、このパイプ６はハンドルとして使用されるか、あるいは他の吸引道具と接続できる。パイプ６と掃除機本体２２上端部まで延びるコード巻取り装置７のホルダと電動送風機３を運転または停止させるスイッチ８が設けられている。また、垂直態様の掃除機本体２２はホイール９で走行する。
【０００４】
また、サイクロンユニットは主ケース１内の半円形スリーブ１２内に筒形ケース１３が摺動自在に嵌合される。円錐台形体部分１５とこれから垂下する円筒形部分１６を備え、筒形ケース１３のベース上の支持プレート１７に対して突当たっている。送入管１９が円錐台形体部分１５の接線方向送入口１８まで延びている。また、両ユニットはパッキン２０で気密されている。塵埃通路１１の上端部が口１４によって筒形ケース１３の上部分に接線方向に接続している。２１は電動送風機３の吸引通路となっている。
【０００５】
上記構成により、ブラシ部材４が回転し電動送風機３により吸引力が作られると、塵埃等を含んだ空気は塵埃通路１１内に吸引される。前記空気は通孔１４から接線方向に筒形ケース１３の上部分に流入し、空気の渦巻くサイクロン状の流れを作る。これにより、塵埃粒子の大部分を筒形ケース１３に集積させ、微細な粒子を含んだ空気は送入管１９と送入口１８を通って接線方向に円錐台形体部分１５に入り、ここで再びサイクロン状の流れを作って微細な粒子を円筒形部分１６に集積する。最終的にきれいな空気は円錐台形体部分１５内部の上方を通り、吸引通路２１を通って電動送風機３に戻される構成の物が一般的である。
【０００６】
【発明が解決しようとする課題】
特公昭６２−５０１４０に示すような構成の物では、主ケース１内に集積した塵埃等を捨てる場合、掃除機本体２２から筒形ケース１３を外し筒形ケース１３上方の開口部から塵埃を捨てなければならないため、筒形ケース１３の開口部外郭付近に塵埃が付着し、取り除くことが非常に面倒で不潔なものであった。
【０００７】
本発明は、以上のような従来の課題を解決しようとするものであって、集塵部外郭に付着した塵埃を容易に取り除くことができる、使い勝手の良い掃除機を提供することを目的としている。
【０００８】
【課題を解決するための手段】
上記目的を達成するために本発明は、吸引風を発する電動送風機を内蔵する掃除機本体と、前記電動送風機に連通し塵埃を吸引する吸込具と、前記掃除機本体に着脱自在な集塵部を備え、前記集塵部の外郭に前記電動送風機が発する排気を流すものである。
【０００９】
上記構成により、集塵部に集積した塵埃を捨てた際、集塵部外郭に付着した塵埃を容易に取り除くことができ、ごみ捨て後の集塵部を清潔に保つことができ使用性の向上を実現する電気掃除機を提供することを目的としている。
【００１０】
【発明の実施の形態】
本発明の請求項１記載の発明は、吸引風を発する電動送風機を内蔵する掃除機本体と、前記電動送風機に連通し塵埃を吸引する吸込具と、前記掃除機本体に着脱自在な集塵部を備え、前記集塵部の外郭に前記電動送風機が発する排気を流すもので、集塵部に集積した塵埃を捨てた際、集塵部外郭に付着した塵埃を容易に取り除くことができ、ごみ捨て後の集塵部を清潔に保つことができるのである。
【００１１】
本発明の請求項２記載の発明は、掃除機本体と集塵部の間に形成される空間部と、電動送風機が発する排気を排出させる排気吹出口を掃除機本体外郭に設け、前記排気吹出口から排出される排気を前記空間部に通過させる構成としたもので、排気で集塵部外郭に付着した塵埃を容易に取り除くことができるのである。
【００１２】
本発明の請求項３記載の発明は、掃除機本体と集塵部の間に形成された空間部を流れる排気の流れ方向を、集塵部に対して上方から下方としたもので、排気で集塵部外郭に付着した塵埃を舞い上げることが無い。
【００１３】
本発明の請求項４記載の発明は、掃除機本体に集塵部を収納させる台座部を有し、前記台座部近傍に排気を排出させる排気吹出口を設けた構成としたもので、台座部にこぼれた塵埃を取り除くことができるのである。
【００１４】
本発明の請求項５記載の発明は、掃除機本体と集塵部の間に形成された空間部に対向する掃除機本体外郭に、集塵部に対して上方と下方に排気吹出口を設けたことを特徴とするもので、集塵部外郭全体を排気で吹き付け、集塵部に付着した塵埃を取り除くことができるのである。
【００１５】
本発明の請求項６記載の発明は、集塵部に対して上方と下方に設けた排気吹出口は、下方側よりも上方側を大きくしたもので、排気で集塵部外郭に付着した塵埃を舞い上げることが無く、台座部にこぼれた塵埃も取り除くことができるのである。
【００１６】
本発明の請求項７記載の発明は、集塵部は、遠心集塵により下側に塵埃を捕集させる塵埃器と上側に着脱可能な蓋で形成され、前記蓋と塵埃器の分割部付近に排気吹出口を設けた構成としたもので、特に塵埃が付着しやすい塵埃器の開口部となる分割部付近の塵埃を取り除くことができるのである。
【００１７】
本発明の請求項８記載の発明は、吸込具と塵埃器を連通するホースと、塵埃器側面に塵埃取り入れ用の塵埃吸気口と、前記塵埃吸気口と連通したホースを保持させるホース保持体を有し、前記塵埃吸気口と前記ホース保持体の当接部の下方側に、塵埃捕集用の凹部を設けた構成としたもので、塵埃吸気口に付着した塵埃を平面部で受け、集塵部下方までこぼれ落ちにくくなる。
【００１８】
本発明の請求項９記載の発明は、ホースからの塵埃吸引方向に向かうに従い、塵埃捕集用の凹部を上方へ傾斜させた構成としたもので、塵埃吸気口に付着した塵埃が集塵部下方までこぼれ落ちることが無い。
【００１９】
本発明の請求項１０記載の発明は、塵埃捕集用の凹部の上方で塵埃吸気口側面に、塵埃吸い込み用の溝を設けたもので、平面部に塵埃吸気口からこぼれて溜まった塵埃を再度吸い上げることができるのである。
【００２０】
本発明の請求項１１記載の発明は、吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口と、掃除機本体外郭に前記掃除機本体と前記集塵部の間の空間部と連通する連通穴と、一端は前記集塵部に接続され他端は前記吸込具に接続され塵埃を吸引するホースを備え、前記排気吹出口から排出される排気を前記空間部に通過させる構成とするとともに、前記連通穴に前記ホース先端を接続させて、前記空間部を通過した排気を、前記ホースを介して前記集塵部に吸引させるもので、集塵部を外す事なく集塵部外郭に付着した塵埃を取り除くことができるのである。
【００２１】
本発明の請求項１２記載の発明は、空間部に付着した塵埃を排気と同時に集塵部に吸引させることを特徴としたもので、集塵部を外す事なく、排気の吹き付けとホースからの吸引で集塵部外郭に付着した塵埃を取り除くことができるのである。
【００２２】
本発明の請求項１３記載の発明は、排気吹出口は、掃除機本体と集塵部の間の空間部と連通する連通穴の対向方向に設けたことを特徴とするもので、集塵部の左右方向に付着した塵埃を取り除くことができるのである。
【００２３】
本発明の請求項１４記載の発明は、排気吹出口は、集塵部の上方部に臨むように設けたことを特徴とするもので、集塵部の上方に付着した塵埃を取り除くことができるのである。
【００２４】
本発明の請求項１５記載の発明は、排気吹出口は、掃除機本体と集塵部の間の空間部と連通する連通穴の対向方向でかつ集塵部の上方部に臨むように設けたことを特徴とするもので、ほぼ集塵部全体に付着した塵埃を取り除くことができるのである。
【００２５】
本発明の請求項１６記載の発明は、排気吹出口は、掃除機本体と集塵部の間の空間部と連通する連通穴の対向方向の上方と下方に２箇所以上設けたことを特徴とするもので、集塵部全体に付着した塵埃を完全に取り除くことができるのである。
【００２６】
本発明の請求項１７記載の発明は、吸引風を発する電動送風機を内蔵する掃除機本体と、前記電動送風機に連通し塵埃を吸引する吸込具と、前記掃除機本体に着脱自在な集塵部と、一端は前記集塵部に接続され他端は前記吸込具に接続され塵埃を吸引する塵埃吸引用ホースを備え、前記集塵部を掃除機本体から外した状態で、前記集塵部外郭に付着した塵埃を前記塵埃吸引用ホースを介して前記集塵部内に捕集するもので、集塵部外郭全体を清掃できるのである。
【００２７】
本発明の請求項１８記載の発明は、電動送風機と集塵部を連通させる吸引通路を伸縮自在な吸気用ホースで形成したもので、集塵部外郭全体を前記塵埃吸引用ホースで清掃できる。
【００２８】
本発明の請求項１９記載の発明は、吸気用ホースが集塵部に接続したままで、集塵部を掃除機本体から外すことが可能なもので、集塵部を掃除機本体に収納せずとも塵埃の吸い込みが可能となり、掃除機本体台座面等のあらゆる箇所の清掃ができる。
【００２９】
本発明の請求項２０記載の発明は、掃除機本体外郭に電動送風機が発する排気を排出させる排気吹出口を設け、前記排気吹出口に塵埃吸引用ホースを接続させて前記塵埃吸引用ホースから排気を排出させるもので、集塵部外郭及び内部の塵埃を排気にて吹き落とすことができる。
【００３０】
本発明の請求項２１記載の発明は、吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口を備え、前記排気吹出口から排出される排気を前記空間部に通過させる構成とするとともに、前記集塵部を掃除機本体の装着した状態のままで、前記排気を前記集塵部内部に吸引させるもので、集塵部を掃除機本体から外す手間が省ける。
【００３１】
本発明の請求項２２記載の発明は、掃除機本体と集塵部の間で形成された空間部に位置する前記集塵部の外郭に、排気とともに塵埃を集塵部内部に吸引させる排気吸入口を設けたもので、常に集塵部外郭に付着した塵埃を集塵部に捕集させることができる。
【００３２】
本発明の請求項２３記載の発明は、集塵部は、下側に上方が開口し遠心集塵で塵埃を捕集させる塵埃器と上側に着脱可能な蓋で形成され、前記塵埃器の開口側と同一方向に排気を集塵部内部に吸引させる排気吸入口を設けたもので、集塵部内部に溜まった塵埃を捨てる際、掃除機本体から塵埃器を外しただけで排気吸入口からごみがこぼれ落ちることが無い。
【００３３】
本発明の請求項２４記載の発明は、塵埃器内部の排気吸入口に、塵埃洩れ防止用の逆止弁を設けた構成としたもので、排気吸入口からのごみこぼれが無い。
【００３４】
本発明の請求項２５記載の発明は、吸引風を発する電動送風機を内蔵する掃除機本体と、前記電動送風機に連通し塵埃を吸引する吸込具と、前記掃除機本体に着脱自在な集塵部と、掃除機本体と集塵部の間に形成される空間部と、前記掃除機本体外郭に設けた排気を排出させる排気吹出口を備え、前記排気吹出口から排出される排気を前記空間部に通過させる構成とするとともに、前記吸込具の塵埃を吸い込む吸込室と空間部を、可撓性ホースで連通させたもので、集塵部外郭の塵埃を捕集しながら強力な吸込力が得られる。
【００３５】
【実施例】
（実施例１）
以下、本発明の第１の実施例を、図１〜１６を用いて説明する。
【００３６】
図１、図２のように、掃除機本体（以下、掃除機本体と称す）２３内部には、吸引風を発する電動送風機２４を内蔵した電動送風機室２５と、前記電動送風機２４へ電源を供給する電源コード２６を備え前記電源コード２６を巻き取るコード巻取り装置２７を備え、前記コード巻取り装置２７の回転軸２８は、前記掃除機本体２３の上下方向に対して略垂直になるよう配置され、前記コード巻取り装置２７の外周には、掃除機本体２３内部で電源コード２６が巻取り時にばらけ無いよう、カバー２９が設けられている。電動送風機２４は前方に防振ゴム３０、後方に防音板３１と側面に開口部を有した防音筒３２がそれぞれ設けられている。
【００３７】
図３のように、掃除機本体２３は前ケース３３と後ケース３４で外郭を形成し、掃除機本体２３後方上部には、後ケース３４に一体に形成された回動部３６にハンドル３５を回動自在にボルト４７、ナット４８で狭持させている。前記回動部３６には伸縮バネ３７とハンドル３５の直立時に回動を保持させるストッパー３８が保持板３９で押さえられている。前記ハンドル３５は右ハンドル４０と左ハンドル４１で外郭を形成し、内部に電源スイッチ４２とハンドル３５の補強部材として金具４３が設けられ、右ハンドル４０と左ハンドル４１を溶着して狭持させている。この時、右ハンドル４０と左ハンドル４１はビスで狭持させても良い。また、前記左ハンドル４１回動部側面には、伸縮バネ４４と止め部４５と、前記ハンドル３５の直立時に、前記回動部３６に設けたストッパー３８が係合する保持穴４６が設けられている。前記ハンドル３５の直立状態で、止め部４５を押さえると、保持穴４６に係合したストッパー３８が解錠され、掃除機本体２３の後方にハンドル３５の折りたたみができるのである。
【００３８】
図１、図２のように、前記掃除機本体２３の前面には外郭の一部を形成する台座部４９が設けられており、前ケース３３と後ケース３４で狭持されている。台座部４９は電動送風機２４からの吸気通路としての接続部４９ａが設けられ、防振ゴム３０にてエアータイトしている。また後ケース３４と台座部４９との間には電動送風機２４からの排気５０を通過させる流路とした空間部、すなわち通路５１が設けられるよう、後ケース３４内面に配置されている。また後ケース３４の通路５１側面には排気口５２が設けられ、排気口５２の内面にフィルター５３が配設されている。前記台座部４９上方は開口しており、着脱自在な集塵部５４を設けている。
【００３９】
図１、図４のように、掃除機本体と集塵部５４の間に形成された空間部９５の掃除機本体２３外郭を形成する前ケース３３に、集塵部５４に対して上方が大きく下方が小さい排気吹出口９６，９７が設けられ、集塵部５４外郭全体を排気９８で吹き付ける構成となっている。掃除機本体２３外郭の前ケース３３は途中より、前方と上方を開口させて台座部４９を設けることで掃除機本体２３の外郭を形成し、台座部４９の上方に形成した前ケース３３の後方部分で、前記集塵部５４の最外径の後方部を側方より覆う構成となっている。
【００４０】
図１、図５より、集塵部５４は下側に塵埃を捕集させる塵埃器５５と、上側に前記塵埃器５５の外径より大きくした、回転により着脱可能な蓋部５６で形成され、蓋部５６は蓋５７と回転保持部５８で一体に接着または溶着等で固定されている。蓋５７側面には爪部５７ａが掃除機本体２３上方に設けられた、伸縮バネ８０で付勢した係止部８１と着脱係合できる。従って、集塵部５４を台座部４９より取り外す際には、係止部８１を下方へ押して、集塵部５４との係合を解除し、略上方へ台座部４９より取り外す構成である。回転保持部５８側面には電動送風機２４からの吸気風を取り入れる吸気口５９が設けられている。また、塵埃器５５側面には塵埃取り入れ用の塵埃吸気口６０が接線方向に設けられている。従って、塵埃吸気口６０は集塵部５４の取り外す方向に対し、略垂直方向を向いている。前記塵埃器５５内部に塵埃ろ過用フィルター６１とメッシュ状フィルター６２が配置されている。塵埃ろ過用フィルター６１は軟質材６３にフィルター６４が固定されており、蓋部５６を塵埃器５５に取り付けた際、前記軟質材６３で蓋部５６と塵埃器５５をエアータイトできる構成になっている。
【００４１】
図２、図６より、掃除機本体２３上方には前ケース３３と後ケース３４で狭持された、断面形状が略半円形の掃除機本体運搬用の把手６５が設けられている。前記把手６５の上方に沿わせてホース６６が収納され、ホース６６の一端は着脱自在の接続管６７と他端には前記塵埃器５５の塵埃吸気口６０と連通したホース保持体６８がそれぞれ固定されており、ホース保持体６８は前ケース３３と後ケース３４で狭持されている。また、前記掃除機本体運搬用の把手６５に対して前方に集塵部５４、後方に回動可能なハンドル３５配置してある構成となっている。
【００４２】
図２、図７より、掃除機本体２３下方側面には吸込具６９と連通した接続口７０が前。ケース３３と後ケース３４で狭持され、前記ホース６６の接続管６７が着脱自在に固定できる。前記接続口７０は可撓性ホースで構成した塵埃吸気通路７１と、吸込具６９を着脱自在に保持させる保持体７２と連通している。また、電動送風機２４と集塵部５４を連通させる吸引通路７３を、コード巻取り装置２７と前記集塵部５４との間の掃除機本体２３内部に可撓性ホース７４で構成させ、一端は台座部４９の接続部４９ａと、他端は集塵部５４の回転保持部５８側面の電動送風機２４からの吸気風を取り入れる吸気口５９と連通している。
【００４３】
図８、図９において、吸込具６９について説明する。
【００４４】
吸込具６９は挟体上８３、挟体中８４、挟体下８５から成り、吸込具６９の外郭を形成している。吸込具６９後方には挟体上８３と挟体下８５で軸回動自在に吸込管８６が挟持されている。吸込具６９前方には床面に対して開口した吸込室８７に撹拌体８８が配設され、撹拌体８８後方には吸込管８６と連通する吸気口９１が設けられている。挟体上８３と挟体中８４で形成された中空通路８９は吸込室８７と連通しており、挟体中８４には吸気口９１と撹拌体８８との間に、撹拌体８８の接線方向に対向した吹出口９０が設けられている。また、吸込管８６は内部に塵埃を通過させる塵埃通路９２と、電動送風機２４の排気の一部である排気５０ａを通過させる排気通路９３に仕切られている。
【００４５】
上記構成による作用は以下の通りである。
【００４６】
図１、図２、図９より、電動送風機２４から排出された一部の排気５０ａは電動送風機室２５、保持体７２、吸込具６９後方にある吸込管８６の排気通路９３、中空通路８９、吹出口９０、吸込室８７の順に排出される。この時、一部の排気５０ａは撹拌体８８で掻き上げられた被掃除面の塵埃と一緒に吸込流９４によって吸い込まれる。また、一部の排気５０は通路５１側面の排気口５２からフィルター５３を介して排出されるものと、排気吹出口９６、９７から排出された排気は空間部９５から集塵部５４外郭部を吹き付ける。吸込流９４は電動送風機２４が運転されると、吸込具６９の吸込室８７、吸気口９１、吸込管８６内部の塵埃通路９２、保持体７２、可撓性ホースで構成した塵埃吸気通路７１、接続口７０、接続管６７、ホース６６、ホース保持体６８を通り、塵埃器５５側面の塵埃吸気口６０の順に導かれる。この時、塵埃器５５内部に入った被掃除面の塵埃を含んだ吸込流９４は、メッシュ状フィルター６２の外周でサイクロン状の流れを作る。これにより、塵埃粒子の大部分を塵埃器５５に集積させ、微細な粒子を含んだ空気は塵埃ろ過用フィルター６１でろ過される。最終的にきれいな空気は集塵部５４上側に位置する蓋部５６の吸気口５９、可撓性ホース７４、台座部４９の接続部４９ａを通り電動送風機２４に戻される。また、接続口７０から接続管６７を外して、接続管６７先端から塵埃等を吸引させ、塵埃器５５に集積させるスポット掃除も行えるのである。
【００４７】
（実施例２）
以下、本発明の第２の実施例を、図１０を用いて説明する。なお上記第１の実施例と同一構成部品については同一符号を付して、その説明を省略する。
【００４８】
図１０のように、塵埃器５５側面に塵埃取り入れ用の塵埃吸気口６０と、前記塵埃吸気口６０と連通したホース６６を保持させるホース保持体６８との当接部下方に、塵埃捕集用の凹部９９を設けた構成である。また、平面部９９側の塵埃吸気口６０側面に、塵埃吸い込み用の溝１００が設けられている。
【００４９】
上記構成による作用は以下の通りである。
【００５０】
塵埃吸気口６０に付着した塵埃を平面部９９で受け、塵埃器５５下方までこぼれ落ちにくくなる。ホース６６からの塵埃吸引方向に向かうに従い、塵埃捕集用の凹部９９を上方へ傾斜させた構成としたので、塵埃吸気口６０に付着した塵埃が塵埃器５５下方までこぼれ落ちることが無い。さらに、平面部９９に塵埃吸気口６０からこぼれて溜まった塵埃を溝１００から再度吸い上げることができるのである。
【００５１】
（実施例３）
次に本発明の第３の実施例を、図１１を用いて説明する。なお上記第１〜２の実施例と同一構成部品については同一符号を付して、その説明を省略する。
【００５２】
図１１のように、掃除機本体２３外郭に掃除機本体２３と集塵部５４の間の空間部９５と連通する連通穴１０１と、前記空間部９５の掃除機本体２３外郭に排気吹出口１０２、１０３が集塵部５４に対して上方と下方に設けられている。また、一端は掃除機本体２３に接続され他端はパイプ６７が接続された塵埃を吸引するホース６６を有し、前記連通穴１０１に前記パイプ６７先端を接続させて、前記空間部９５に付着した塵埃を排気９８と同時に集塵部５４に吸引させる構成である。
【００５３】
上記構成による作用は以下の通りである。
【００５４】
集塵部５４を外す事なく、排気９８の吹き付けと連通穴１０１からホース６６にかけての吸引で集塵部５４外郭に付着した塵埃を取り除くことができるのである。
【００５５】
（実施例４）
次に本発明の第４の実施例を、図１２〜１４を用いて説明する。なお上記第１〜３の実施例と同一構成部品については同一符号を付して、その説明を省略する。
【００５６】
図１２〜１４のように、掃除機本体２３外郭に一端は掃除機本体２３に着脱自在に接続され他端はパイプ６７が接続された塵埃吸引用ホース６６と、前記掃除機本体２３と着脱自在な集塵部５４と、掃除機本体２３内部には吸引風を発する電動送風機２４と、前記電動送風機２４と前記集塵部５４を連通させる吸引通路７３を伸縮自在な吸気用ホース７４で形成し、前記集塵部５４を前記掃除機本体２３から外した状態で前記吸気用ホース７４と塵埃吸引用ホース６６を前記集塵部５４に接続させている。集塵部５４外郭に付着した塵埃を前記集塵部５４内に捕集させたので、集塵部５４外郭全体を前記塵埃吸引用ホース６６で清掃できる。また、一端は電動送風機２４と連結され他端は集塵部５４と連結される吸引通路７３とした伸縮自在な吸気用ホース６６は、前記集塵部５４を前記掃除機本体２３から外した状態でも前記集塵部５４に接続させている。さらに、掃除機本体２３外郭に排気吹出口１０２を設け、前記排気吹出口１０２に前記塵埃吸引用ホース６６を接続させて前記塵埃吸引用ホース６６から排気９８を排出させる構成である。
【００５７】
上記構成による作用は以下の通りである。
【００５８】
集塵部５４外郭に付着した塵埃を前記集塵部５４内に捕集させたので、集塵部５４外郭全体を前記塵埃吸引用ホース６６で清掃できる。
【００５９】
また、集塵部５４を掃除機本体２３に収納せずとも塵埃の吸い込みが可能となり、掃除機本体２３台座部４９等のあらゆる箇所の清掃ができる。
【００６０】
さらに、集塵部５４外郭及び内部の塵埃を排気９８にて吹き落とすことができる。
【００６１】
（実施例５）
次に本発明の第５の実施例を、図１５を用いて説明する。なお上記第１〜４の実施例と同一構成部品については同一符号を付して、その説明を省略する。
【００６２】
図１５のように、吸引風を発する電動送風機２４を内蔵する掃除機本体２３と、前記掃除機本体２３下方に塵埃を吸引する吸込具６９と、前記掃除機本体２３に着脱自在な集塵部５４を有し、前記掃除機本体２３と集塵部５４の間に形成された空間部９５の掃除機本体２３外郭に排気９８が排出される排気吹出口９６，９７を設け、前記集塵部５４を掃除機本体２３収納状態で前記空間部９５に位置する集塵部５４外郭に付着した塵埃を前記排気９８とともに前記集塵部５４内部に吸引させることができる。掃除機本体２３と集塵部５４の間で形成された空間部９５に位置する前記集塵部５４の外郭に、排気９８とともに塵埃を集塵部５４内部に吸引させる排気吸入口１０４が設けられている。集塵部５４は、下側に上方が開口した塵埃を捕集させる塵埃器５５と上側に着脱可能な蓋部５６で形成され、前記塵埃器５５の開口側と同一方向に排気９８とともに塵埃を集塵部５４内部に吸引させる排気吸入口１０４が向いている。塵埃器５５内部の内部には排気吸入口１０４に、塵埃洩れ防止用の逆止弁１０５が設けられている。
【００６３】
上記構成による作用は以下の通りである。
【００６４】
集塵部５４を掃除機本体２３から外す手間が省け、常に集塵部５４外郭に付着した塵埃を集塵部５４に捕集させることができる。また、集塵部５４内部に溜まった塵埃を捨てる際、掃除機本体２３から塵埃器５４を外しただけで排気吸入口１０４からごみがこぼれ落ちることが無い。
【００６５】
（実施例６）
次に本発明の第６の実施例を、図１６を用いて説明する。なお上記第１〜５の実施例と同一構成部品については同一符号を付して、その説明を省略する。
【００６６】
図１６のように、吸込具６９の塵埃を吸い込む吸込室８７と、排気吹出口９６、９７を掃除機本体２３と集塵部の間で形成された空間部９５に設けられており、前記空間部９５と前記吸込室８７を可撓性ホース１０６で連通させた構成である。
【００６７】
上記構成による作用は以下の通りである。
【００６８】
集塵部５４外郭の塵埃を捕集しながら強力な吸込力が得られる。
【００６９】
【発明の効果】
本発明によれば、集塵部に集積した塵埃を捨てた際、集塵部外郭に付着した塵埃を容易に取り除くことができ、ごみ捨て後の集塵部を清潔に保つことができる使用性を向上させた電気掃除機を提供できる。
【図面の簡単な説明】
【図１】本発明の第１の実施例を示す電気掃除機の側面断面図
【図２】同電気掃除機の前方断面図
【図３】同電気掃除機の回動部の要部破断図
【図４】図１のＡ−Ａ断面図
【図５】集塵部の断面図
【図６】同電気掃除機の正面図
【図７】同電気掃除機の要部断面図
【図８】同吸込具の断面図
【図９】同吸込具の分解平面図
【図１０】本発明の第２の実施例を示す電気掃除機の要部破断図
【図１１】本発明の第３の実施例を示す電気掃除機の前方断面図
【図１２】本発明の第４の実施例を示す電気掃除機の前方断面図
【図１３】同電気掃除機の側面断面図
【図１４】同電気掃除機の前方断面図
【図１５】本発明の第５の実施例を示す電気掃除機の側面断面図
【図１６】本発明の第６の実施例を示す電気掃除機の正面図
【図１７】従来の電気掃除機の全体断面図
【図１８】図１７のＡ−Ａ断面図
【符号の説明】
２３　掃除機本体
２４　電動送風機
４９　台座部
５４　集塵部
５５　塵埃器
５６　蓋部
６６　ホース
６９　吸込具
９５　空間部
９６　排気吹出口
９７　排気吹出口
【図１】
2004016691.tif 000003
【図２】
2004016691.tif 000004
【図３】
2004016691.tif 000005
【図４】
2004016691.tif 000006
【図５】
2004016691.tif 000007
【図６】
2004016691.tif 000008
【図７】
2004016691.tif 000009
【図８】
2004016691.tif 000010
【図９】
2004016691.tif 000011
【図１０】
2004016691.tif 000012
【図１１】
2004016691.tif 000013
【図１２】
2004016691.tif 000014
【図１３】
2004016691.tif 000015
【図１４】
2004016691.tif 000016
【図１５】
2004016691.tif 000017
【図１６】
2004016691.tif 000018
【図１７】
2004016691.tif 000019
【図１８】
2004016691.tif 000020